(57)【要約】【課題】部屋毎に適切な加湿を行うことができる換気装置を提供すること。【解決手段】給排型換気装置１は、室外側吸込口５から吸い込まれた給気空気のうち一部の給気空気を加湿給気風路２５に通過させ、加湿ユニット１５にて加湿する。一方、加湿給気風路２５を通過しなかった給気空気は、加湿せずに非加湿給気風路２６を通過させる。また、給排型換気装置１は、第１の部屋４０に対応する第１の室内側湿度センサ４２と、第２の部屋４１に対応する第２の室内側湿度センサ４３とを備え、各部屋の湿度を検出する。制御部２０は、各部屋の湿度に応じて第１の部屋に対応する第１の給気ダンパ２７又は第２の部屋に対応する第２の給気ダンパ２８を制御し、部屋毎に、対応する部屋に対して第１の室内側給気風路２９、第２の室内側給気風路３０と連通する加湿給気風路２５の開口面積及び非加湿給気風路２６の開口面積を調整する。【選択図】図１
2019174021.tif 000002
【特許請求の範囲】
【請求項１】
室外側吸込口と室内側吹出口と室内側吸込口と室外側吹出口とを有する筐体と、
前記室外側吸込口と前記室内側吹出口とを連通する給気風路と、
前記室内側吸込口と前記室外側吹出口とを連通する排気風路と、
前記室内側吸込口から排気空気を吸い込み前記室外側吹出口へ導く排気部と、
前記室外側吸込口から給気空気を吸い込み前記室内側吹出口へ導く給気部と、を備えた換気装置であって、
前記室内側吹出口は、複数の部屋毎に対応して設けられ、対応する部屋へ前記給気空気を吹き出す部屋別室内側吹出口により構成され、
前記室内側吸込口は、前記複数の部屋から排気空気を吸い込むものであり、
前記給気風路は、
前記室外側吸込口から吸い込まれた給気空気のうち一部の給気空気が通過し、その給気空気を加湿する加湿部を有する加湿給気風路と、
前記室外側吸込口から吸い込まれた給気空気のうち前記加湿給気風路を通過しなかった給気空気が通過し、その給気空気を非加湿とする非加湿給気風路と、
各々の前記部屋別室内側吹出口に対応して設けられ、前記加湿給気風路及び前記非加湿給気風路の下流側で対応する前記部屋別室内側吹出口と連通する部屋別室内側給気風路と、を備え、
前記換気装置は、
各々の前記部屋別室内側給気風路に対応して設けられ、対応する前記部屋別室内側給気風路と連通する前記加湿給気風路の開口面積を調整する部屋別加湿側開口調整部と、
各々の前記部屋別室内側給気風路に対応して設けられ、対応する前記部屋別室内側給気風路と連通する前記非加湿給気風路の開口面積を調整する部屋別非加湿側開口調整部と、
前記複数の部屋毎に対応して設けられ、対応する前記部屋の湿度を検出する部屋別室内側湿度センサと、
前記部屋毎に、対応する前記部屋別室内側湿度センサにより検出された当該部屋の湿度に基づいて、対応する前記部屋別室内側給気風路と連通する前記加湿給気風路の開口面積及び前記非加湿給気風路の開口面積を調整するよう、対応する前記部屋別加湿側開口調整部及び前記部屋別非加湿側開口調整部を制御する制御部と、を備えたことを特徴とする換気装置。
【請求項２】
前記制御部は、
一の部屋に対して、対応する前記部屋別室内側湿度センサにより検出された当該部屋の湿度が第１の閾値未満である場合に、対応する前記部屋別室内側給気風路と連通する前記加湿給気風路の開口面積が前記非加湿給気風路の開口面積よりも大きくなるように対応する前記部屋別加湿側開口調整部及び前記部屋別非加湿側開口調整部を制御し、
その後、前記一の部屋において、対応する前記部屋別室内側湿度センサにより検出された当該部屋の湿度が第２の閾値（但し、第２の閾値＞第１の閾値）以下である間は、対応する前記部屋別室内側給気風路と連通する前記加湿給気風路の開口面積と前記非加湿給気風路の開口面積とを維持することを特徴する請求項１記載の換気装置。
【請求項３】
前記制御部は、
前記部屋毎に、対応する前記部屋別室内側湿度センサにより検出された当該部屋の湿度と目標湿度との差の大きさに応じて、対応する前記部屋別室内側給気風路と連通する前記加湿給気風路の開口面積と前記非加湿給気風路の開口面積との割合を変更するよう、対応する前記部屋別加湿側開口調整部及び前記部屋別非加湿側開口調整部を制御することを特徴する請求項１又は２記載の換気装置。
【請求項４】
前記制御部は、
前記部屋毎に、その部屋の目標湿度を設定し、その目標湿度と、対応する前記部屋別室内側湿度センサにより検出された当該部屋の湿度とに基づいて、対応する前記部屋別室内側給気風路と連通する前記加湿給気風路の開口面積及び前記非加湿給気風路の開口面積を調整するよう、対応する前記部屋別加湿側開口調整部及び前記部屋別非加湿側開口調整部を制御することを特徴とする請求項１から３のいずれかに記載の換気装置。
【請求項５】
各々の前記部屋別室内側給気風路に対応して設けられた前記部屋別加湿側開口調整部と前記部屋別非加湿側開口調整部とは、対応する前記部屋別室内側給気風路と連通する前記加湿給気風路の開口面積と、当該部屋別室内側給気風路と連通する前記非加湿給気風路の開口面積との合計が一定となるように、それらの開口面積を調整することを特徴とする請求項１から４のいずれかに記載の換気装置。
【請求項６】
各々の前記部屋別室内側給気風路に対応して設けられた前記部屋別加湿側開口調整部と前記部屋別非加湿側開口調整部とは、前記加湿給気風路の開口面積と前記非加湿給気風路の開口面積との比率を調整可能な１つのスライド式ダンパにより構成されることを特徴とする請求項５記載の換気装置。
【請求項７】
前記制御部は、
全ての部屋において、対応する前記部屋別室内側給気風路と連通する前記加湿給気風路の開口面積がゼロである場合に、前記加湿部による加湿を停止することを特徴とする請求項１から６のいずれかに記載の換気装置。
【請求項８】
前記給気風路において前記加湿給気風路及び前記非加湿給気風路より上流側に設けられ、前記給気風路を通過する空気と前記排気風路を通過する空気との間で熱交換する熱交換部を備えた請求項１から７のいずれかに記載の換気装置。
【発明の詳細な説明】
【技術分野】
【０００１】
本発明は、室内空気を屋外へ排気し、屋外空気を室内へ給気して室内の換気を行う換気装置に関する。
【背景技術】
【０００２】
従来、この種の換気装置として、屋外から取り込んだ屋外空気を加湿した上で室内へ供給し、室内空気の湿度を制御する加湿機能付きの換気装置が知られている。この種の加湿機能付きの換気装置は、室内空気の湿度を検出して目標湿度と比較する。そして、室内空気の湿度が目標湿度に足りない場合は屋外空気の温湿度と室内空気の温湿度とに基づいて加湿量を決定して加湿をする。また、室内空気が過加湿の場合は加湿運転を停止する（例えば、特許文献１）。
【先行技術文献】
【特許文献】
【０００３】
【特許文献１】国際公開第２０１６／００２０７２号
【発明の概要】
【発明が解決しようとする課題】
【０００４】
しかしながら、従来の加湿機能付きの換気装置では、屋外へ排気する室内空気が集められた箇所に室内空気の湿度を検出するセンサが設けられている。そのため、複数の部屋の換気を行う場合に、当該センサにより検出される室内空気の湿度は各部屋の湿度の平均となる。よって、部屋毎に湿度の偏りがある場合に、湿度の高い部屋は過加湿になり、逆に湿度の低い部屋は加湿が不足するので、家全体を快適に加湿することが難しいという問題があった。
【０００５】
本発明は、上記課題を解決するためになされたものであり、部屋毎に適切な加湿を行うことができる換気装置を提供することを目的とする。
【課題を解決するための手段】
【０００６】
この目的を達成するために、本発明の換気装置は、室外側吸込口と室内側吹出口と室内側吸込口と室外側吹出口とを有する筐体と、前記室外側吸込口と前記室内側吹出口とを連通する給気風路と、前記室内側吸込口と前記室外側吹出口とを連通する排気風路と、前記室内側吸込口から排気空気を吸い込み前記室外側吹出口へ導く排気部と、前記室外側吸込口から給気空気を吸い込み前記室内側吹出口へ導く給気部と、を備えたものであって、前記室内側吹出口は、複数の部屋毎に対応して設けられ、対応する部屋へ前記給気空気を吹き出す部屋別室内側吹出口により構成され、前記室内側吸込口は、前記複数の部屋から排気空気を吸い込むものであり、前記給気風路は、前記室外側吸込口から吸い込まれた給気空気のうち一部の給気空気が通過し、その給気空気を加湿する加湿部を有する加湿給気風路と、前記室外側吸込口から吸い込まれた給気空気のうち前記加湿給気風路を通過しなかった給気空気が通過し、その給気空気を非加湿とする非加湿給気風路と、各々の前記部屋別室内側吹出口に対応して設けられ、前記加湿給気風路及び前記非加湿給気風路の下流側で対応する前記部屋別室内側吹出口と連通する部屋別室内側給気風路と、を備え、前記換気装置は、各々の前記部屋別室内側給気風路に対応して設けられ、対応する前記部屋別室内側給気風路と連通する前記加湿給気風路の開口面積を調整する部屋別加湿側開口調整部と、各々の前記部屋別室内側給気風路に対応して設けられ、対応する前記部屋別室内側給気風路と連通する前記非加湿給気風路の開口面積を調整する部屋別非加湿側開口調整部と、前記複数の部屋毎に対応して設けられ、対応する前記部屋の湿度を検出する部屋別室内側湿度センサと、前記部屋毎に、対応する前記部屋別室内側湿度センサにより検出された当該部屋の湿度に基づいて、対応する前記部屋別室内側給気風路と連通する前記加湿給気風路の開口面積及び前記非加湿給気風路の開口面積を調整するよう、対応する前記部屋別加湿側開口調整部及び前記部屋別非加湿側開口調整部を制御する制御部と、を備えたものである。
【発明の効果】
【０００７】
本発明の換気装置によれば、室外側吸込口から吸い込まれた給気空気のうち一部の給気空気が加湿給気風路を通過し、加湿部にて加湿される。室外側吸込口から吸い込まれた給気空気のうち加湿給気風路を通過しなかった給気空気は、加湿されずに非加湿給気風路を通過する。一方、各部屋に対応して設けられた部屋別室内側湿度センサによって、各部屋の湿度が検出される。そして、制御部によって、部屋毎に対応する部屋別加湿側開口調整部及び部屋別非加湿側開口調整部が制御され、検出された当該部屋の湿度に基づいて、対応する部屋別室内側給気風路と連通する加湿給気風路の開口面積及び非加湿給気風路の開口面積が調整される。これにより、部屋毎に、当該部屋の湿度に応じた加湿を行うことができるので、部屋毎に適切な加湿を行うことができるという効果がある。
【図面の簡単な説明】
【０００８】
【図１】本発明の第１実施形態に係る給排型換気装置を概略的に示す概略図である。
【図２】同給排型換気装置と給排型換気装置が換気する部屋との接続関係を概略的に示す概略図である。
【図３】（ａ）は、加湿給気風路の開口面積と非加湿給気風路の開口面積との比率を１００：０とした場合の第１の給気ダンパの位置を示した図であり、（ｂ）は、加湿給気風路の開口面積と非加湿給気風路の開口面積との比率を５０：５０とした場合の第１の給気ダンパの位置を示した図であり、（ｃ）は、加湿給気風路の開口面積と非加湿給気風路の開口面積との比率を０：１００とした場合の第１の給気ダンパの位置を示した図である。
【図４】同給排型換気装置の制御部にて実行される換気制御処理を示すフローチャートである。
【図５】第２実施形態に係る給排型換気装置の制御部にて実行される換気制御処理を示すフローチャートである。
【図６】第３実施形態に係る給排型換気装置の制御部にて実行される換気制御処理を示すフローチャートである。
【図７】第４実施形態に係る給排型換気装置の制御部にて実行される換気制御処理を示すフローチャートである。
【発明を実施するための形態】
【０００９】
以下、本発明を実施するための形態について添付図面を参照して説明する。なお、以下に説明する実施の形態は、いずれも本発明の好ましい一具体例を示すものである。したがって、以下の実施の形態で示される、数値、形状、材料、構成要素、構成要素の配置位置及び接続形態、並びに、ステップ（工程）及びステップの順序などは、一例であって本発明を限定する主旨ではない。よって、以下の実施の形態における構成要素のうち、本発明の最上位概念を示す独立請求項に記載されていない構成要素については、任意の構成要素として説明される。また、各図において、実質的に同一の構成に対しては同一の符号を付しており、重複する説明は省略又は簡略化する。
【００１０】
（第１実施形態）
まず、図１及び図２を参照して、本発明の第１実施形態に係る給排型換気装置１について説明する。図１は、給排型換気装置１を概略的に示す概略図である。図２は、給排型換気装置１と給排型換気装置１が換気する部屋との接続関係を概略的に示す概略図である。
【００１１】
図１及び図２では、給排型換気装置１が２つの部屋（図２に示す第１の部屋４０及び第２の部屋４１）の換気を可能としたものを例示しているが、給排型換気装置１が換気可能な部屋の数は複数であればよく、その給排型換気装置１が設置される住宅に応じて決定される。
【００１２】
給排型換気装置１は、図１に示す通り、箱形の筐体（本体）２の側面に室外側吹出口４及び室外側吸込口５を有する。また、給排型換気装置１は、この側面に対向した側面に、室内側吸込口６と、本発明の室内側吹出口としての第１の室内側吹出口７及び第２の室内側吹出口８とを有している。
【００１３】
図２に示す通り、第１の室内側吹出口７は、第１の部屋４０に対応して設けられ、対応する第１の部屋４０へ第１の給気ダクト４４を経由して給気空気を吹き出す。第２の室内側吹出口８は、第２の部屋４１に対応して設けられ、対応する第２の部屋４１へ第２の給気ダクト４５を経由して給気空気を吹き出す。このように、室内側吹出口は、給排型換気装置１が換気可能な複数の部屋毎に対応して設けられ、対応する部屋へ給気空気を吹き出す部屋別室内側吹出口（第１の室内側吹出口７及び第２の室内側吹出口８）により構成される。
【００１４】
また、第１の部屋４０は第１の排気ダクト４６と接続され、第１の排気ダクト４６から第１の部屋４０の排気空気が吸い込まれる。また、第２の部屋４１は第２の排気ダクト４７と接続され、第２の排気ダクト４７から第２の部屋４１の排気空気が吸い込まれる。第１の排気ダクト４６及び第２の排気ダクト４７は１つの排気ダクト４８に統合され、第１の部屋４０の排気空気と第２の部屋４１の排気空気とが、排気ダクト４８を経由して室内側吸込口６に吸い込まれる。
【００１５】
ここで、第１の排気ダクト４６には、第１の室内側湿度センサ４２が配設され、第２の排気ダクト４７には、第２の室内側湿度センサ４３が配設される。第１の室内側湿度センサ４２は、第１の排気ダクト４６を通過する第１の部屋４０より吸い込まれた排気空気から、第１の部屋４０の湿度を検出する。第２の室内側湿度センサ４３は、第２の排気ダクト４７を通過する第２の部屋４１より吸い込まれた排気空気から、第２の部屋４１の湿度を検出する。第１の室内側湿度センサ４２により検出された第１の部屋４０の湿度、及び、第２の室内側湿度センサ４３により検出された第２の部屋４１の湿度は、制御部２０に入力される。
【００１６】
これらの第１の室内側湿度センサ４２及び第２の室内側湿度センサ４３が、本発明の部屋別室内側湿度センサに該当する。給排型換気装置１により換気される部屋が３以上ある場合は、それぞれの部屋に対応して、第１の室内側湿度センサ４２及び第２の室内側湿度センサ４３と同様の部屋別室内側湿度センサが、対応する部屋の排気ダクトに設けられる。なお、第１の室内側湿度センサ４２及び第２の室内側湿度センサ４３は、対応する部屋の湿度が検出できれば任意の場所に設置されてよく、例えば、第１の部屋４０又は第２の部屋４１に直接設けられてもよい。
【００１７】
図１に示す通り、給排型換気装置１は、室外側吸込口５と第１の室内側吹出口７及び第２の室内側吹出口８とを連通する給気風路１０を備えている。また、給排型換気装置１は、室内側吸込口６と室外側吹出口４とを連通する排気風路９を備えている。室外側吸込口５から導入される新鮮な屋外空気（外気、給気空気）と、室内側吸込口６から導入される汚染された室内空気（排気空気）は、給気ファン１２と排気ファン１３との運転によりそれぞれ給気風路１０と排気風路９とを流れる。
【００１８】
給気ファン１２は、本発明の給気部を構成するものであり、給気風路１０において後述の熱交換素子１４より下流側且つ後述の加湿給気風路２５及び非加湿給気風路２６より上流側に設けられている。給気ファン１２は、室外側吸込口５から吸い込んだ給気空気を、給気風路１０を通して第１の室内側吹出口７及び第２の室内側吹出口８へ導く。
【００１９】
一方、排気ファン１３は、本発明の排気部を構成するものであり、排気風路９において熱交換素子１４より下流側に設けられ、室内側吸込口６から吸い込んだ排気空気を、排気風路９を通して室外側吹出口４へ導く。室外側吹出口４へ導かれた空気は、室外に排気される。
【００２０】
給気風路１０と排気風路９とが交差する位置には、熱交換素子１４が配置される。熱交換素子１４は、本発明の熱交換部を構成するものであり、給気風路１０を通過する給気空気と、排気風路９を通過する排気空気との間で全熱交換方式による熱交換を行う。熱交換素子１４により、排気される空気の全熱（温度及び湿度）が給気される空気に供給される、または、給気される空気の全熱が排気される空気に供給される。なお、本発明において熱交換素子１４は任意の構成であり、熱交換素子１４はなくてもよい。
【００２１】
給気風路１０は、熱交換素子１４より下流側（更に、給気ファン１２より下流側）において、加湿給気風路２５と非加湿給気風路２６とに分割される。加湿給気風路２５と非加湿給気風路２６とは、給気風路１０において縦方向に並んで形成されている。なお、加湿給気風路２５と非加湿給気風路２６とは、給気風路１０において横方向に並んで形成されてもよい。
【００２２】
加湿給気風路２５は、室外側吸込口５から吸い込まれた給気空気のうち一部の給気空気が通過する風路であり、その風路途中に加湿ユニット１５が設けられている。
【００２３】
加湿ユニット１５は、本発明の加湿部を構成するものであり、加湿給気風路２５を通過する給気空気を加湿する。本実施形態における加湿ユニット１５は、例えば、遠心破砕方式によって破砕した水を空気に散布する水破砕式加湿ユニットである。遠心破砕方式は、揚水管の回転により揚水した水を遠心方向に放出し、その放出した水を衝突壁に衝突させて破砕する方式である。水破砕式加湿ユニットは、揚水管の回転量により破砕する水の量を調整することで、加湿量の調整を容易に行うことができる。
【００２４】
一方、非加湿給気風路２６は、室外側吸込口５から吸い込まれた給気空気のうち加湿給気風路２５を通過しなかった給気空気が通過する風路である。非加湿給気風路２６には、加湿給気風路２５にあるような加湿ユニットが設けられておらず、通過する給気空気を加湿せずに（非加湿として）通過させる。
【００２５】
また、給気風路１０は、第１の室内側吹出口７に対応して設けられ、加湿給気風路２５及び非加湿給気風路２６の下流側で第１の室内側吹出口７と連通する第１の室内側給気風路２９を備える。また、給気風路１０は、第２の室内側吹出口８に対応して設けられ、加湿給気風路２５及び非加湿給気風路２６の下流側で第２の室内側吹出口８と連通する第２の室内側給気風路３０を備える。
【００２６】
ここで、加湿給気風路２５及び非加湿給気風路２６が給気風路１０において縦方向に並んで形成されるのに対し、第１の室内側給気風路２９及び第２の室内側給気風路３０は給気風路１０において横方向に並んで形成される。これにより、加湿給気風路２５を通過する加湿された給気空気と、非加湿給気風路２６を通過する非加湿の給気空気とを、第１の室内側給気風路２９と第２の室内側給気風路３０とのいずれにも導くことができる。
【００２７】
これらの第１の室内側給気風路２９及び第２の室内側給気風路３０が本発明の部屋別室内側給気風路に該当する。給排型換気装置１において３以上の部屋別室内側吹出口が設けられる場合は、各々の部屋別室内側吹出口に対応して第１の室内側給気風路２９及び第２の室内側給気風路３０と同様の部屋別室内側給気風路が、給気風路１０において横方向に並んで設けられる。
【００２８】
なお、加湿給気風路２５及び非加湿給気風路２６が給気風路１０において横方向に並んで形成される場合は、複数の部屋別室内側給気風路が給気風路１０において縦方向に並んで形成される。
【００２９】
給排型換気装置１は、第１の室内側給気風路２９に対応して設けられ、第１の室内側給気風路２９と連通する加湿給気風路２５の開口面積と非加湿給気風路２６の開口面積とを調整する第１の給気ダンパ２７を備えている。また、給排型換気装置１は、第２の室内側給気風路３０に対応して設けられ、第２の室内側給気風路３０と連通する加湿給気風路２５の開口面積と非加湿給気風路２６の開口面積とを調整する第２の給気ダンパ２８を備えている。
【００３０】
これらの第１の給気ダンパ２７及び第２の給気ダンパ２８が、いずれも本発明の部屋別加湿側開口調整部及び部屋別非加湿側開口調整部に該当する。給排型換気装置１において３以上の部屋別室内側給気風路が設けられる場合は、各々の部屋別室内側給気風路に対応して第１の給気ダンパ２７及び第２の給気ダンパ２８と同様の給気ダンパが、本発明の部屋別加湿側開口調整部及び部屋別非加湿側開口調整部として設けられる。
【００３１】
ここで、第１の給気ダンパ２７及び第２の給気ダンパ２８は、同一の構成且つ作用を有している。そこで、以下、第１の給気ダンパ２７について詳細を説明し、第２の給気ダンパ２８の説明を省略する。
【００３２】
第１の給気ダンパ２７は、加湿給気風路２５の開口面積と非加湿給気風路２６の開口面積との比率を調整可能な１つのスライド式ダンパにより構成される。具体的には、第１の給気ダンパ２７は、縦方向に並んで形成された加湿給気風路２５の開口と非加湿給気風路２６の開口とを閉塞可能な位置で、縦方向にスライド可能に取り付けられている。また、第１の給気ダンパ２７は、スライドされた位置に応じて加湿給気風路２５の開口を完全に閉塞可能であり、また、非加湿給気風路２６の開口を完全に閉塞可能である大きさを有している。
【００３３】
ここで、図３を参照して、第１の給気ダンパ２７による加湿給気風路２５の開口面積と非加湿給気風路２６の開口面積との比率の調整方法について説明する。図３（ａ）〜（ｃ）は、いずれも、第１の室内側給気風路２９側より見た場合の加湿給気風路２５の開口と非加湿給気風路２６の開口と第１の給気ダンパ２７との位置関係を概略的に示した概略図である。なお、図３では、給気風路１０において、加湿給気風路２５の開口が上側に設けられ、非加湿給気風路２６の開口が下側に設けられた状態を示しているが、その位置関係は逆であってもよい。
【００３４】
まず、図３（ａ）は、加湿給気風路２５の開口面積と非加湿給気風路２６の開口面積との比率を１００：０とした場合の第１の給気ダンパ２７の位置を示している。この場合、第１の給気ダンパ２７を一番下側にスライドさせることで、非加湿給気風路２６の開口面積を０とし、加湿給気風路２５のみ開口させることができる。つまり、加湿給気風路２５の開口面積と非加湿給気風路２６の開口面積との比率を１００：０とすることができる。
【００３５】
次いで、図３（ｂ）は、加湿給気風路２５の開口面積と非加湿給気風路２６の開口面積との比率を５０：５０とした場合の第１の給気ダンパ２７の位置を示している。この場合、第１の給気ダンパ２７を縦方向の中間位置にスライドさせることで、加湿給気風路２５の開口面積と非加湿給気風路２６の開口面積とを同じ面積とすることができる。つまり、加湿給気風路２５の開口面積と非加湿給気風路２６の開口面積との比率を５０：５０とすることができる。
【００３６】
また、図３（ｃ）は、加湿給気風路２５の開口面積と非加湿給気風路２６の開口面積との比率を０：１００とした場合の第１の給気ダンパ２７の位置を示している。この場合、第１の給気ダンパ２７を一番上側にスライドさせることで、加湿給気風路２５の開口面積を０とし、非加湿給気風路２６のみ開口させることができる。つまり、加湿給気風路２５の開口面積と非加湿給気風路２６の開口面積との比率を０：１００とすることができる。
【００３７】
このように、第１の給気ダンパ２７をスライドさせ、加湿給気風路２５の開口面積と非加湿給気風路２６の開口面積との比率を変更することで、第１の室内側給気風路２９に含まれる加湿された給気空気と非加湿の給気空気との割合を変更できる。これにより、第１の室内側湿度センサ４２により検出された第１の部屋４０の湿度に基づいて、加湿給気風路２５の開口面積と非加湿給気風路２６の開口面積とを調整することで、第１の部屋４０の湿度に応じた加湿を行うことができる。
【００３８】
そして、第２の部屋４１についても、第２の室内側湿度センサ４３により検出された第２の部屋４１の湿度に基づいて、第２の給気ダンパ２８をスライドさせ、加湿給気風路２５の開口面積と非加湿給気風路２６の開口面積との比率を変更することで、第２の室内側給気風路３０に含まれる加湿された給気空気と非加湿の給気空気との割合を変更できる。これにより、第２の部屋４１は、第１の部屋４０とは別個に、第２の部屋４１の湿度に応じた加湿を行うことができる。
【００３９】
即ち、給排型換気装置１では、部屋毎に、当該部屋の湿度に応じた加湿を行うことができるので、部屋毎に適切な加湿を行うことができる。
【００４０】
また、給排型換気装置１は、第１の給気ダンパ２７や第２の給気ダンパ２８をスライド式ダンパにより構成することで、これらのダンパをスライドさせるだけで、加湿給気風路２５の開口面積と非加湿給気風路２６の開口面積との両方を調整できる。よって、加湿給気風路２５の開口面積と非加湿給気風路２６の開口面積との調整を、容易に且つ低コストで行うことができる。
【００４１】
また、第１の給気ダンパ２７により調整された加湿給気風路２５の開口面積と非加湿給気風路２６の開口面積との合計は、第１の給気ダンパ２７を取り外した状態での加湿給気風路２５の開口面積と非加湿給気風路２６の開口面積との合計から、第１の給気ダンパ２７により閉塞される面積を引いたものである。即ち、第１の給気ダンパ２７がどの位置にあっても、第１の給気ダンパ２７により調整された加湿給気風路２５の開口面積と非加湿給気風路２６の開口面積との合計は一定となる。これは、第２の給気ダンパ２８でも同じである。
【００４２】
これにより、部屋毎に、当該部屋の湿度に応じた加湿を行うために、第１の給気ダンパ２７や第２の給気ダンパ２８をスライドさせても、加湿給気風路２５の開口面積と非加湿給気風路２６の開口面積との合計が一定であるので、各部屋への給気風量を略一定に保つことができる。
【００４３】
図１に戻り説明を続ける。給排型換気装置１の内部または外部には、給排型換気装置１の動作を制御する制御部２０が設けられている。制御部２０は、例えば、排気ファン１３の排気モータの電流及び／又は回転数を制御して排気風量を制御し、また、給気ファン１２の給気モータの電流及び／又は回転数を制御して給気風量を制御する。また、制御部２０は、加湿ユニット１５における加湿を制御する。
【００４４】
更に、制御部２０は、部屋毎に、当該部屋の湿度に応じた加湿を行うよう、第１の給気ダンパ２７及び第２の給気ダンパ２８を制御し、第１の室内側給気風路２９及び第２の室内側給気風路３０に対する加湿給気風路２５の開口面積と非加湿給気風路２６の開口面積との調整を行う。
【００４５】
次いで、図４を参照して制御部２０にて実行される換気制御処理について説明する。図４は、その換気制御処理を示すフローチャートである。換気制御処理は、給排型換気装置１における換気と加湿を制御する処理である。換気制御処理は、部屋毎に、当該部屋の湿度に基づいて対応する第１の給気ダンパ２７又は第２の給気ダンパ２８を制御し、各々の部屋の湿度に応じた加湿を行う。換気制御処理は、給排型換気装置１が換気運転を開始すると制御部２０にて実行が開始され、その換気運転が行われている間、実行され続ける。
【００４６】
換気制御処理の実行が開始されると、まず、換気動作を開始する（Ｓ１）。例えば、Ｓ１の処理では、所定の排気風量及び給気風量となるように排気ファン１３及び給気ファン１２を動作させて換気運転を行う。また、Ｓ１の処理では、加湿ユニット１５を動作させて加湿運転を開始する。
【００４７】
次いで、目標湿度ＨＵＭ＿ＴＡＲＧＥＴを設定する（Ｓ２）。目標湿度ＨＵＭ＿ＴＡＲＧＥＴは、予め制御部２０に設けられた記憶部（図示せず）に記憶されている。この目標湿度ＨＵＭ＿ＴＡＲＧＥＴは、制御部２０と無線又は有線によって接続可能な入力装置（図示せず）から、ユーザによって変更が可能となっている。入力装置としては、スマートフォン、タブレット等の携帯情報端末や、リモートコントローラ等が例示される。
【００４８】
次いで、給排型換気装置１により換気が可能な複数の部屋に対して、それぞれの部屋毎にＳ３〜Ｓ６の処理を行うループ処理Ｌ１を実行する。ループ処理Ｌ１では、変数ｉに対して、１、２、…の順に対象となる部屋の数Ｎまでを代入し、代入された値毎にＳ３〜Ｓ６の処理が実行される。
【００４９】
ループ処理Ｌ１では、まず、変数ｉに代入された値で特定されるｉ番目の部屋の湿度ＨＵＭ＿ＲＡ（ｉ）を、その部屋に対応する部屋別室内側湿度センサによって計測する（Ｓ３）。例えば、変数ｉが１の場合、第１の部屋４０の湿度ＨＵＭ＿ＲＡ（１）が第１の室内側湿度センサ４２によって計測される。また、変数ｉが２の場合、第２の部屋４１の湿度ＨＵＭ＿ＲＡ（２）が第２の室内側湿度センサ４３によって計測される。
【００５０】
次いで、Ｓ３の処理で計測されたｉ番目の部屋の湿度ＨＵＭ＿ＲＡ（ｉ）がＳ２の処理で設定された目標湿度ＨＵＭ＿ＴＡＲＧＥＴ未満であるか否かを判断する（Ｓ４）。なお、Ｓ４の処理は、ｉ番目の部屋の湿度ＨＵＭ＿ＲＡ（ｉ）が目標湿度ＨＵＭ＿ＴＡＲＧＥＴ以下であるか否かを判断してもよい。
【００５１】
Ｓ４の処理の結果、ｉ番目の部屋の湿度ＨＵＭ＿ＲＡ（ｉ）が目標湿度ＨＵＭ＿ＴＡＲＧＥＴ未満であれば（Ｓ４：Ｙｅｓ）、ｉ番目の部屋に対応する部屋別室内側給気風路と連通する加湿給気風路２５の開口面積と非加湿給気風路２６の開口面積との比率が１００：０となるようにｉ番目の部屋に対応する給気ダンパを制御する（Ｓ５）。
【００５２】
例えば、第１の部屋４０の湿度ＨＵＭ＿ＲＡ（１）が目標湿度ＨＵＭ＿ＴＡＲＧＥＴ未満である場合、第１の室内側給気風路２９と連通する加湿給気風路２５の開口面積と非加湿給気風路２６の開口面積との比率が１００：０となるように第１の給気ダンパ２７を制御する。これにより、湿度ＨＵＭ＿ＲＡ（ｉ）が目標湿度ＨＵＭ＿ＴＡＲＧＥＴより低い部屋に対しては加湿ユニット１５により加湿された給気空気が１００％の割合で供給されるので、その部屋の湿度を目標湿度ＨＵＭ＿ＴＡＲＧＥＴまで高めることができる。
【００５３】
一方、Ｓ４の処理の結果、ｉ番目の部屋の湿度ＨＵＭ＿ＲＡ（ｉ）が目標湿度ＨＵＭ＿ＴＡＲＧＥＴ以上であれば（Ｓ４：Ｎｏ）、ｉ番目の部屋に対応する部屋別室内側給気風路と連通する加湿給気風路２５の開口面積と非加湿給気風路２６の開口面積との比率が０：１００となるようにｉ番目の部屋に対応する給気ダンパを制御する（Ｓ６）。
【００５４】
例えば、第２の部屋４１の湿度ＨＵＭ＿ＲＡ（２）が目標湿度ＨＵＭ＿ＴＡＲＧＥＴ以上である場合、第２の室内側給気風路３０と連通する加湿給気風路２５の開口面積と非加湿給気風路２６の開口面積との比率が０：１００となるように第２の給気ダンパ２８を制御する。これにより、湿度ＨＵＭ＿ＲＡ（ｉ）が目標湿度ＨＵＭ＿ＴＡＲＧＥＴ以上の部屋に対しては、加湿された給気空気が０％の割合となり非加湿の給気空気が供給されるので、その部屋の湿度が過加湿となることを抑制できる。
【００５５】
Ｓ５又はＳ６の処理が終了すると、変数ｉがＮでなれば、変数ｉに１を加算して次の部屋の対するＳ３〜Ｓ６の処理を実行する。一方、変数ｉがＮであれば、全ての部屋に対するＳ３〜Ｓ６の処理が実行されたのでループ処理Ｌ１を抜け、Ｓ７の処理へ移行する。Ｓ７の処理では、ループ処理Ｌ１の結果、全ての部屋に対して、加湿給気風路２５の開口面積と非加湿給気風路２６の開口面積との比率が０：１００となるように、対応する給気ダンパが制御されたか否かを判断する（Ｓ７）。
【００５６】
その結果、全ての部屋に対して、加湿給気風路２５の開口面積と非加湿給気風路２６の開口面積との比率が０：１００となるように制御されたと判断される場合は（Ｓ７：Ｙｅｓ）、加湿ユニット１５をオフし、加湿運転を停止する（Ｓ８）。
【００５７】
全ての部屋に対して、加湿給気風路２５の開口面積と非加湿給気風路２６の開口面積との比率が０：１００となるように給気ダンパが制御されている場合、どの部屋に対しても加湿ユニット１５にて加湿された給気空気が供給されない状態である。よって、このような場合、加湿ユニット１５による加湿運転を停止することで、省エネルギー化を図ることができる。
【００５８】
一方、Ｓ７の処理の結果、少なくとも１つの部屋において、加湿給気風路２５の開口面積と非加湿給気風路２６の開口面積との比率が０：１００以外となるように給気ダンパが制御されたと判断される場合は（Ｓ７：Ｎｏ）、加湿ユニット１５をオンして加湿運転を行う（Ｓ９）。これにより、加湿された給気空気を、加湿が必要な部屋に供給することができる。
【００５９】
Ｓ８又はＳ９の処理の後、Ｓ２の処理へ戻る。そして、Ｓ２、ループ処理Ｌ１（Ｓ３〜Ｓ６）、Ｓ７〜Ｓ９の各処理を繰り返し実行する。
【００６０】
なお、Ｓ２、ループ処理Ｌ１（Ｓ３〜Ｓ６）、Ｓ７〜Ｓ９の各処理は、加湿ユニット１５の加湿能力や換気対象となる部屋の数や各々の部屋の大きさ等に応じて、１〜３０分毎に繰り返し実行されるようにしてもよい。これは、給気ダンパを制御して、加湿給気風路２５の開口面積と非加湿給気風路２６の開口面積との比率を調整しても、部屋の湿度が変化するまでに１〜３０分程度かかるためである。Ｓ２、ループ処理Ｌ１（Ｓ３〜Ｓ６）、Ｓ７〜Ｓ９の各処理を１〜３０分毎に実行することで、無駄な処理が実行されることを抑制できる。
【００６１】
以上説明したように、本第１実施形態に係る給排型換気装置１によれば、室外側吸込口５から吸い込まれた給気空気のうち一部の給気空気が加湿給気風路２５を通過し、加湿ユニット１５にて加湿される。室外側吸込口５から吸い込まれた給気空気のうち加湿給気風路２５を通過しなかった給気空気は、加湿されずに非加湿給気風路２６を通過する。
【００６２】
一方、各部屋に対応して設けられた部屋別室内側湿度センサ（第１の部屋４０に対応する第１の室内側湿度センサ４２、第２の部屋４１に対応する第２の室内側湿度センサ４３）によって、各部屋の湿度が検出される。
【００６３】
そして、制御部２０により実行される換気制御処理によって、部屋毎に、対応する給気ダンパ（第１の部屋４０に対応する第１の給気ダンパ２７、第２の部屋４１に対応する第２の給気ダンパ２８）が制御される。即ち、検出された当該部屋の湿度に基づいて、対応する部屋別室内側給気風路（第１の部屋４０に対応する第１の室内側給気風路２９、第２の部屋４１に対応する第２の室内側給気風路３０）と連通する加湿給気風路２５の開口面積及び非加湿給気風路２６の開口面積が調整される。これにより、部屋毎に、当該部屋の湿度に応じた加湿を行うことができるので、部屋毎に適切な加湿を行うことができる。
【００６４】
（第２実施形態）
次いで、図５を参照して第２実施形態に係る給排型換気装置１について説明する。第１実施形態に係る給排型換気装置１は、部屋毎に、当該部屋の湿度が目標湿度未満であるかを判断する場合について説明した。そして、当該部屋の湿度が、目標湿度未満であれば加湿給気風路２５の開口面積と非加湿給気風路２６の開口面積との比率が１００：０となるように給気ダンパを制御し、目標湿度以上であれば加湿給気風路２５の開口面積と非加湿給気風路２６の開口面積との比率が０：１００となるように給気ダンパを制御した。
【００６５】
これに対し、第２実施形態に係る給排型換気装置１は、目標湿度に対して上限湿度及び下限湿度（但し、上限湿度＞目標湿度＞下限湿度）を設定する。そして、一の部屋において、当該部屋の湿度が下限湿度未満であれば、加湿給気風路２５の開口面積と非加湿給気風路２６の開口面積との比率が１００：０となるように給気ダンパを制御する。その後、その一の部屋の湿度が上限湿度以下である間は、加湿給気風路２５の開口面積と非加湿給気風路２６の開口面積との比率を維持する。
【００６６】
第２実施形態に係る給排型換気装置１の概略構成は、第１実施形態に係る給排型換気装置１と同一であり、制御部２０により実行される換気制御処理の一部処理が異なる。以下、第２実施形態に係る給排型換気装置１について、第１実施形態に係る給排型換気装置１と相違する点を中心に説明する。第１実施形態に係る給排型換気装置１と同一の構成及びステップについては、同一の符号を付し説明を省略する。
【００６７】
図５は、第２実施形態に係る給排型換気装置１の制御部２０により実行される換気制御処理を示すフローチャートである。
【００６８】
この換気制御処理が実行されると、まず、第１実施形態に係る換気制御処理と同一のＳ１、Ｓ２の処理が実行され、次いで、Ｓ１１の処理が実行される。
【００６９】
Ｓ１１の処理では、Ｓ２の処理により設定された目標湿度ＨＵＭ＿ＴＡＲＧＥＴから、上限湿度ＨＵＭ＿ＵＰＰＥＲと下限湿度ＨＵＭ＿ＬＯＷＥＲを設定する（Ｓ１１）。上限湿度ＨＵＭ＿ＵＰＰＥＲは、目標湿度ＨＵＭ＿ＴＡＲＧＥＴに対して一定の割合又は固定値を加算して設定する。また、下限湿度ＨＵＭ＿ＬＯＷＥＲは、目標湿度ＨＵＭ＿ＴＡＲＧＥＴに対して一定の割合又は固定値を減算して設定する。
【００７０】
例えば、目標湿度ＨＵＭ＿ＴＡＲＧＥＴが６０％の場合、Ｓ１１の処理では、目標湿度ＨＵＭ＿ＴＡＲＧＥＴに対して固定値３％を加算して上限湿度ＨＵＭ＿ＵＰＰＥＲを６３％に設定する。また、Ｓ１１の処理では、目標湿度ＨＵＭ＿ＴＡＲＧＥＴに対して固定値３％を減算して下限湿度ＨＵＭ＿ＬＯＷＥＲを５７％に設定する。
【００７１】
なお、上限湿度ＨＵＭ＿ＵＰＰＥＲが本発明の第２の閾値に該当し、下限湿度ＨＵＭ＿ＬＯＷＥＲが本発明の第１の閾値に該当する。
【００７２】
Ｓ１１の処理の後、給排型換気装置１により換気が可能な複数の部屋に対して、それぞれの部屋毎にＳ３、Ｓ１２〜Ｓ１６の処理を行うループ処理Ｌ２を実行する。ループ処理Ｌ２では、変数ｉに対して、１、２、…の順に対象となる部屋の数Ｎまでを代入し、代入された値毎にＳ３、Ｓ１２〜Ｓ１６の処理が実行される。
【００７３】
ループ処理Ｌ２では、まず、第１実施形態に係る換気制御処理と同一のＳ３の処理を実行し、次いで、Ｓ１２の処理を実行する。Ｓ１２の処理では、Ｓ３の処理で計測されたｉ番目の部屋の湿度ＨＵＭ＿ＲＡ（ｉ）がＳ１１の処理で設定された下限湿度ＨＵＭ＿ＬＯＷＥＲ未満であるか否かを判断する（Ｓ１２）。なお、Ｓ１２の処理は、ｉ番目の部屋の湿度ＨＵＭ＿ＲＡ（ｉ）が下限湿度ＨＵＭ＿ＬＯＷＥＲ以下であるか否かを判断してもよい。
【００７４】
Ｓ１２の処理の結果、ｉ番目の部屋の湿度ＨＵＭ＿ＲＡ（ｉ）が下限湿度ＨＵＭ＿ＬＯＷＥＲ未満であれば（Ｓ１２：Ｙｅｓ）、ｉ番目の部屋に対応する部屋別室内側給気風路と連通する加湿給気風路２５の開口面積と非加湿給気風路２６の開口面積との比率が１００：０となるようにｉ番目の部屋に対応する給気ダンパを制御する（Ｓ１２）。
【００７５】
一方、Ｓ１２の処理の結果、ｉ番目の部屋の湿度ＨＵＭ＿ＲＡ（ｉ）が下限湿度ＨＵＭ＿ＬＯＷＥＲ以上であれば（Ｓ１２：Ｎｏ）、次いで、ｉ番目の部屋の湿度ＨＵＭ＿ＲＡ（ｉ）がＳ１１の処理で設定された上限湿度ＨＵＭ＿ＵＰＰＥＲより大きいか否かを判断する（Ｓ１４）。なお、Ｓ１４の処理は、ｉ番目の部屋の湿度ＨＵＭ＿ＲＡ（ｉ）が上限湿度ＨＵＭ＿ＵＰＰＥＲ以上であるか否かを判断してもよい。
【００７６】
Ｓ１４の処理の結果、ｉ番目の部屋の湿度ＨＵＭ＿ＲＡ（ｉ）が上限湿度ＨＵＭ＿ＵＰＰＥＲより大きければ（Ｓ１４：Ｙｅｓ）、ｉ番目の部屋に対応する部屋別室内側給気風路と連通する加湿給気風路２５の開口面積と非加湿給気風路２６の開口面積との比率が０：１００となるようにｉ番目の部屋に対応する給気ダンパを制御する（Ｓ１５）。
【００７７】
一方、Ｓ１４の処理の結果、ｉ番目の部屋の湿度ＨＵＭ＿ＲＡ（ｉ）が上限湿度ＨＵＭ＿ＵＰＰＥＲ以下であれば（Ｓ１４：Ｎｏ）、ｉ番目の部屋に対応する給気ダンパの状態を維持する（Ｓ１６）。
【００７８】
ここで、Ｓ１２〜Ｓ１６の処理が実行された場合の作用について、第１の部屋４０を例に説明する。例えば、第１の部屋４０の湿度ＨＵＭ＿ＲＡ（１）が下限湿度ＨＵＭ＿ＬＯＷＥＲ未満である場合、Ｓ１３の処理によって、第１の室内側給気風路２９と連通する加湿給気風路２５の開口面積と非加湿給気風路２６の開口面積との比率が１００：０となるように第１の給気ダンパ２７が制御される。これにより、第１の部屋４０に対して、加湿ユニット１５により加湿された給気空気が供給されるので、その部屋の湿度を高めることができる。
【００７９】
その後、第１の部屋４０の湿度ＨＵＭ＿ＲＡ（１）が加湿により高くなっていくが、その湿度ＨＵＭ＿ＲＡ（１）が、下限湿度ＨＵＭ＿ＬＯＷＥＲを超えたとしても、上限湿度ＨＵＭ＿ＵＰＰＥＲを超えるまでは、Ｓ１６の処理により第１の給気ダンパ２７の状態が維持される。そして、第１の部屋４０の湿度ＨＵＭ＿ＲＡ（１）が上限湿度ＨＵＭ＿ＵＰＰＥＲを超えると、第１の室内側給気風路２９と連通する加湿給気風路２５の開口面積と非加湿給気風路２６の開口面積との比率が０：１００となるように第１の給気ダンパ２７が制御される。そして、第１の給気ダンパ２７の状態は、第１の部屋４０の湿度ＨＵＭ＿ＲＡ（１）が再び下限湿度ＨＵＭ＿ＬＯＷＥＲ未満となるまで維持される。
【００８０】
Ｓ１３、Ｓ１４又はＳ１６の処理が終了すると、変数ｉがＮでなれば変数ｉに１を加算して次の部屋の対するＳ３、Ｓ１２〜Ｓ１６の処理を実行する。一方、変数ｉがＮであれば、全ての部屋に対するＳ３、Ｓ１２〜Ｓ１６の処理が実行されたのでループ処理Ｌ２を抜け、第１実施形態に係る換気制御処理と同一のＳ７〜Ｓ９の処理が実行される。
【００８１】
以上説明したように、第２実施形態に係る給排型換気装置１は、部屋の湿度ＨＵＭ＿ＲＡ（ｉ）が目標湿度ＨＵＭ＿ＴＡＲＧＥＴに対して高い上限湿度ＨＵＭ＿ＵＰＰＥＲとなるまで、加湿された給気風量が１００％の割合となるように当該部屋に対応する給気ダンパの状態が維持される。逆に、同給排型換気装置１は、目標湿度ＨＵＭ＿ＴＡＲＧＥＴに対して低い下限湿度ＨＵＭ＿ＬＯＷＥＲとなるまで、加湿された給気風量が０％の割合となるように当該部屋に対応する給気ダンパの状態が維持される。よって、給気ダンパが目標湿度ＨＵＭ＿ＴＡＲＧＥＴ付近で頻繁に動作することが抑制されるため、給気ダンパを駆動したときに発生する駆動音を低減でき、また、給気ダンパの耐久性を向上させることができる。
【００８２】
（第３実施形態）
次いで、図６を参照して第３実施形態に係る給排型換気装置１について説明する。第１実施形態に係る給排型換気装置１は、部屋毎に、当該部屋の湿度が目標湿度未満であるか否かに応じて対応する給気ダンパを制御し、当該部屋に対応する部屋別室内側給気風路と連通する加湿給気風路２５の開口面積と非加湿給気風路２６の開口面積との比率を変更した。これに対し、第３実施形態に係る給排型換気装置１は、部屋毎に、当該部屋の湿度と目標湿度との差の大きさに応じて、対応する部屋別室内側給気風路と連通する加湿給気風路２５の開口面積と非加湿給気風路２６の開口面積との比率を変更するように、対応する給気ダンパを制御する。
【００８３】
第３実施形態に係る給排型換気装置１の概略構成は、第１実施形態及び第２実施形態に係る給排型換気装置１と同一であり、制御部２０により実行される換気制御処理の一部処理が異なる。以下、第３実施形態に係る給排型換気装置１について、第１実施形態及び第２実施形態に係る給排型換気装置１と相違する点を中心に説明する。第１実施形態及び第２実施形態に係る給排型換気装置１と同一の構成及びステップについては、同一の符号を付し説明を省略する。
【００８４】
図６は、第３実施形態に係る給排型換気装置１の制御部２０により実行される換気制御処理を示すフローチャートである。
【００８５】
この換気制御処理が実行されると、まず、第１実施形態に係る換気制御処理と同一のＳ１、Ｓ２の処理が実行され、次いで、第２実施形態に係る換気制御処理と同一のＳ１１の処理が実行される。
【００８６】
次いで、Ｓ２の処理により設定された目標湿度ＨＵＭ＿ＴＡＲＧＥＴから、加湿制限湿度ＨＵＭ＿ＬＩＭＩＴを設定する（Ｓ２１）。この加湿制限湿度ＨＵＭ＿ＬＩＭＩＴは、部屋の湿度ＨＵＭ＿ＲＡ（ｉ）が加湿制限湿度ＨＵＭ＿ＬＩＭＩＴ未満である場合に、目標湿度ＨＵＭ＿ＴＡＲＧＥＴとの差が大きく、急速な加湿が必要であると判断するための閾値である。
【００８７】
加湿制限湿度ＨＵＭ＿ＬＩＭＩＴは、下限湿度ＨＵＭ＿ＬＯＷＥＲよりも小さい値となるように、目標湿度ＨＵＭ＿ＴＡＲＧＥＴに対して一定の割合又は固定値を減算して設定する。
【００８８】
例えば、目標湿度ＨＵＭ＿ＴＡＲＧＥＴが６０％であって、下限湿度ＨＵＭ＿ＬＯＷＥＲが目標湿度ＨＵＭ＿ＴＡＲＧＥＴに対して固定値３％を減算して５７％と設定される場合、Ｓ２１の処理では、目標湿度ＨＵＭ＿ＴＡＲＧＥＴに対して固定値１０％を減算して加湿制限湿度ＨＵＭ＿ＬＩＭＩＴを設定する。
【００８９】
なお、Ｓ１１及びＳ２１の処理によって、上限湿度ＨＵＭ＿ＵＰＰＥＲ＞目標湿度ＨＵＭ＿ＴＡＲＧＥＴ＞下限湿度ＨＵＭ＿ＬＯＷＥＲ＞加湿制限湿度ＨＵＭ＿ＬＩＭＩＴとの関係になる。
【００９０】
Ｓ２１の処理の後、給排型換気装置１により換気が可能な複数の部屋に対して、それぞれの部屋毎にＳ３、Ｓ２２〜Ｓ２５、Ｓ１４〜Ｓ１６の処理を行うループ処理Ｌ３を実行する。ループ処理Ｌ３では、変数ｉに対して、１、２、…の順に対象となる部屋の数Ｎまでを代入し、代入された値毎にＳ３、Ｓ２２〜Ｓ２５、Ｓ１４〜Ｓ１６の処理が実行される。
【００９１】
ループ処理Ｌ３では、まず、第２実施形態に係る換気制御処理と同一のＳ３の処理を実行し、次いで、Ｓ２２の処理を実行する。Ｓ２２の処理では、Ｓ３の処理で計測されたｉ番目の部屋の湿度ＨＵＭ＿ＲＡ（ｉ）がＳ２１の処理で設定された加湿制限湿度ＨＵＭ＿ＬＩＭＩＴ未満であるか否かを判断する（Ｓ２２）。なお、Ｓ２２の処理は、ｉ番目の部屋の湿度ＨＵＭ＿ＲＡ（ｉ）が加湿制限湿度ＨＵＭ＿ＬＩＭＩＴ以下であるか否かを判断してもよい。
【００９２】
Ｓ２２の処理の結果、ｉ番目の部屋の湿度ＨＵＭ＿ＲＡ（ｉ）が加湿制限湿度ＨＵＭ＿ＬＩＭＩＴ未満であれば（Ｓ２２：Ｙｅｓ）、ｉ番目の部屋に対応する部屋別室内側給気風路と連通する加湿給気風路２５の開口面積と非加湿給気風路２６の開口面積との比率が１００：０となるようにｉ番目の部屋に対応する給気ダンパを制御する（Ｓ２３）。これにより、部屋の湿度ＨＵＭ＿ＲＡ（ｉ）が低く、目標湿度ＨＵＭ＿ＴＡＲＧＥＴとの差が大きい場合には、加湿ユニット１５により加湿された給気空気が１００％の割合でその部屋に供給されるので、その部屋を急速に加湿できる。
【００９３】
一方、Ｓ２２の処理の結果、ｉ番目の部屋の湿度ＨＵＭ＿ＲＡ（ｉ）が加湿制限湿度ＨＵＭ＿ＬＩＭＩＴ以上であれば（Ｓ２２：Ｎｏ）、次いで、ｉ番目の部屋の湿度ＨＵＭ＿ＲＡ（ｉ）が下限湿度ＨＵＭ＿ＬＯＷＥＲ未満であるか否かを判断する（Ｓ２４）。なお、Ｓ２４の処理は、ｉ番目の部屋の湿度ＨＵＭ＿ＲＡ（ｉ）が下限湿度ＨＵＭ＿ＬＯＷＥＲ以下であるか否かを判断してもよい。
【００９４】
Ｓ２４の処理の結果、ｉ番目の部屋の湿度ＨＵＭ＿ＲＡ（ｉ）が下限湿度ＨＵＭ＿ＬＯＷＥＲ未満であれば（Ｓ２４：Ｙｅｓ）、ｉ番目の部屋に対応する部屋別室内側給気風路と連通する加湿給気風路２５の開口面積と非加湿給気風路２６の開口面積との比率が５０：５０となるようにｉ番目の部屋に対応する給気ダンパを制御する（Ｓ２５）。
【００９５】
これにより、部屋の湿度ＨＵＭ＿ＲＡ（ｉ）が低く、目標湿度ＨＵＭ＿ＴＡＲＧＥＴとの差が小さい場合には、加湿ユニット１５により加湿された給気空気が５０％の割合でその部屋に供給される。よって、当該部屋の加湿を確実に行うことができる一方、急速な加湿が必要な部屋に対して加湿ユニット１５にて加湿された給気空気を多く回すことができ、そのような部屋を優先的に加湿できる。従って、湿度が低く、目標湿度ＨＵＭ＿ＴＡＲＧＥＴとの差が大きい部屋の湿度が優先的に改善されるので、家全体としての快適性を早期に底上げすることができる。
【００９６】
一方、Ｓ２４の処理の結果、ｉ番目の部屋の湿度ＨＵＭ＿ＲＡ（ｉ）が下限湿度ＨＵＭ＿ＬＯＷＥＲ以上であれば（Ｓ２４：Ｎｏ）、その後、第２実施形態に係る換気制御処理のＳ１４〜Ｓ１６の処理を実行する。
【００９７】
Ｓ２５の処理により、ｉ番目の部屋に対応する部屋別室内側給気風路と連通する加湿給気風路２５の開口面積と非加湿給気風路２６の開口面積との比率が５０：５０となるようにｉ番目の部屋に対応する給気ダンパが制御されてから、その部屋の湿度ＨＵＭ＿ＲＡ（ｉ）が上限湿度ＨＵＭ＿ＵＰＰＥＲ以下である間は、Ｓ１６の処理によってその給気ダンパの状態が維持される。
【００９８】
その部屋の湿度ＨＵＭ＿ＲＡ（ｉ）が上限湿度ＨＵＭ＿ＵＰＰＥＲを超えると、Ｓ１５の処理によって、ｉ番目の部屋に対応する部屋別室内側給気風路と連通する加湿給気風路２５の開口面積と非加湿給気風路２６の開口面積との比率が０：１００となるようにｉ番目の部屋に対応する給気ダンパが制御される。そして、その部屋の湿度ＨＵＭ＿ＲＡ（ｉ）が再び下限湿度ＨＵＭ＿ＬＯＷＥＲ未満となるまで給気ダンパの状態が維持される。
【００９９】
よって、第３実施形態に係る給排型換気装置１は、第２実施形態に係る給排型換気装置１と同様に、給気ダンパが目標湿度ＨＵＭ＿ＴＡＲＧＥＴ付近で頻繁に動作することを抑制でき、その結果、給気ダンパを駆動したときに発生する駆動音の低減と、給気ダンパの耐久性向上を実現できる。
【０１００】
Ｓ２３、Ｓ２５、Ｓ１５又はＳ１６の処理が終了すると、変数ｉがＮでなれば、変数ｉに１を加算して次の部屋の対するＳ３、Ｓ２２〜Ｓ２５、Ｓ１４〜Ｓ１６の処理を実行する。一方、変数ｉがＮであれば、全ての部屋に対するＳ３、Ｓ２２〜Ｓ２５、Ｓ１４〜Ｓ１６の処理が実行されたのでループ処理Ｌ３を抜け、第１実施形態に係る換気制御処理と同一のＳ７〜Ｓ９の処理が実行される。
【０１０１】
以上説明したように、第３実施形態に係る給排型換気装置１は、部屋の湿度ＨＵＭ＿ＲＡ（ｉ）と目標湿度ＨＵＭ＿ＴＡＲＧＥＴとの差に応じて、対応する部屋別室内側給気風路と連通する加湿給気風路２５の開口面積と非加湿給気風路２６の開口面積との割合を変更するよう、対応する給気ダンパを制御する。
【０１０２】
具体的には、部屋の湿度ＨＵＭ＿ＲＡ（ｉ）が加湿制限湿度ＨＵＭ＿ＬＩＭＩＴより低く、目標湿度ＨＵＭ＿ＴＡＲＧＥＴとの差が大きい場合には、加湿給気風路２５の開口面積と非加湿給気風路２６の開口面積との比率が１００：０となるように給気ダンパを制御する。これにより、加湿ユニット１５により加湿された給気空気が１００％の割合でその部屋に供給されるので、その部屋を急速に加湿できる。
【０１０３】
一方、部屋の湿度ＨＵＭ＿ＲＡ（ｉ）が加湿制限湿度ＨＵＭ＿ＬＩＭＩＴより高く、目標湿度ＨＵＭ＿ＴＡＲＧＥＴとの差が小さい場合には、加湿給気風路２５の開口面積と非加湿給気風路２６の開口面積との比率が５０：５０となるように給気ダンパを制御する。これにより、加湿ユニット１５により加湿された給気空気が５０％の割合でその部屋に供給される。
【０１０４】
よって、当該部屋の加湿を確実に行うことができる一方、急速な加湿が必要な部屋に対して加湿ユニット１５にて加湿された給気空気を多く回すことができ、そのような部屋を優先的に加湿できる。従って、湿度が低く、目標湿度ＨＵＭ＿ＴＡＲＧＥＴとの差が大きい部屋の湿度が優先的に改善されるので、家全体としての快適性を早期に底上げすることができる。
【０１０５】
（第４実施形態）
次いで、図７を参照して第４実施形態に係る給排型換気装置１について説明する。第１実施形態に係る給排型換気装置１は、換気対象となる全ての部屋に対して一括して目標湿度を設定する場合について説明した。これに対し、第４実施形態に係る給排型換気装置１は、換気対象となる部屋毎に目標湿度を設定可能とする。
【０１０６】
第４実施形態に係る給排型換気装置１の概略構成は、第１実施形態に係る給排型換気装置１と同一であり、制御部２０により実行される換気制御処理の一部処理が異なる。以下、第４実施形態に係る給排型換気装置１について、第１実施形態に係る給排型換気装置１と相違する点を中心に説明する。第１実施形態に係る給排型換気装置１と同一の構成及びステップについては、同一の符号を付し説明を省略する。
【０１０７】
図７は、第４実施形態に係る給排型換気装置１の制御部２０により実行される換気制御処理を示すフローチャートである。
【０１０８】
この換気制御処理が実行されると、まず、第１実施形態に係る換気制御処理と同一のＳ１の処理が実行される。次いで、給排型換気装置１により換気が可能な複数の部屋に対して、それぞれの部屋毎にＳ３１、Ｓ３、Ｓ３２〜Ｓ３４の処理を行うループ処理Ｌ４を実行する。ループ処理Ｌ４では、変数ｉに対して、１、２、…の順に対象となる部屋の数Ｎまでを代入し、代入された値毎にＳ３１、Ｓ３、Ｓ３２〜Ｓ３４の処理が実行される。
【０１０９】
ループ処理Ｌ４では、まず、変数ｉに代入された値で特定されるｉ番目の部屋の目標湿度ＨＵＭ＿ＴＡＲＧＥＴ（ｉ）を設定する。目標湿度ＨＵＭ＿ＴＡＲＧＥＴ（ｉ）は、部屋毎に予め制御部２０に設けられた記憶部（図示せず）に記憶されている。各部屋の目標湿度ＨＵＭ＿ＴＡＲＧＥＴ（ｉ）は、第１実施形態にて説明した入力装置（図示せず）から、部屋毎にユーザによって変更が可能となっている。
【０１１０】
次いで、第１実施形態に係る換気制御処理と同一のＳ３の処理を実行し、次いで、Ｓ３２の処理を実行する。Ｓ３２の処理では、Ｓ３の処理で計測されたｉ番目の部屋の湿度ＨＵＭ＿ＲＡ（ｉ）がＳ３１の処理でｉ番目の部屋に設定された目標湿度ＨＵＭ＿ＴＡＲＧＥＴ（ｉ）未満であるか否かを判断する（Ｓ３２）。なお、Ｓ３２の処理は、ｉ番目の部屋の湿度ＨＵＭ＿ＲＡ（ｉ）がｉ番目の部屋の目標湿度ＨＵＭ＿ＴＡＲＧＥＴ（ｉ）以下であるか否かを判断してもよい。
【０１１１】
Ｓ３２の処理の結果、ｉ番目の部屋の湿度ＨＵＭ＿ＲＡ（ｉ）がｉ番目の部屋に設定された目標湿度ＨＵＭ＿ＴＡＲＧＥＴ（ｉ）未満であれば（Ｓ３２：Ｙｅｓ）、ｉ番目の部屋に対応する部屋別室内側給気風路と連通する加湿給気風路２５の開口面積と非加湿給気風路２６の開口面積との比率が１００：０となるようにｉ番目の部屋に対応する給気ダンパを制御する（Ｓ３３）。これにより、ある部屋の湿度ＨＵＭ＿ＲＡ（ｉ）がその部屋に設定された目標湿度ＨＵＭ＿ＴＡＲＧＥＴ（ｉ）より低い部屋に対しては、加湿ユニット１５により加湿された給気空気が１００％の割合で供給されるので、その部屋の湿度をその部屋に設定された目標湿度ＨＵＭ＿ＴＡＲＧＥＴ（ｉ）まで高めることができる。
【０１１２】
一方、Ｓ３２の処理の結果、ｉ番目の部屋の湿度ＨＵＭ＿ＲＡ（ｉ）がｉ番目の部屋に設定された目標湿度ＨＵＭ＿ＴＡＲＧＥＴ（ｉ）以上であれば（Ｓ３２：Ｎｏ）、ｉ番目の部屋に対応する部屋別室内側給気風路と連通する加湿給気風路２５の開口面積と非加湿給気風路２６の開口面積との比率が０：１００となるようにｉ番目の部屋に対応する給気ダンパを制御する（Ｓ３４）。これにより、ある部屋の湿度ＨＵＭ＿ＲＡ（ｉ）がその部屋に設定された目標湿度ＨＵＭ＿ＴＡＲＧＥＴ（ｉ）以上の部屋に対しては、加湿された給気空気が０％の割合となり非加湿の給気空気が供給されるので、その部屋の湿度が過加湿となることを抑制できる。
【０１１３】
Ｓ３３又はＳ３４の処理が終了すると、変数ｉがＮでなれば、変数ｉに１を加算して次の部屋の対するＳ３１、Ｓ３、Ｓ３２〜Ｓ３４の処理を実行する。一方、変数ｉがＮであれば、全ての部屋に対するＳ３１、Ｓ３、Ｓ３２〜Ｓ３４の処理が実行されたのでループ処理Ｌ４を抜け、第１実施形態に係る換気制御処理と同一のＳ７〜Ｓ９の処理が実行される。
【０１１４】
以上説明したように、第４実施形態に係る給排型換気装置１によれば、部屋毎に目標湿度ＨＵＭ＿ＴＡＲＧＥＴ（ｉ）が設定される。そして、現在の部屋の湿度ＨＵＭ＿ＲＡ（ｉ）と、その部屋に対して設定されたＨＵＭ＿ＴＡＲＧＥＴ（ｉ）とに基づいて、対応する給気ダンパが制御される。これにより、部屋毎の目標湿度ＨＵＭ＿ＴＡＲＧＥＴ（ｉ）が異なる場合であっても、部屋の湿度ＨＵＭ＿ＴＡＲＧＥＴ（ｉ）がその部屋に設定された目標湿度ＨＵＭ＿ＴＡＲＧＥＴ（ｉ）より低い部屋については加湿された給気空気を供給し、部屋の湿度ＨＵＭ＿ＴＡＲＧＥＴ（ｉ）がその部屋に設定された目標湿度ＨＵＭ＿ＴＡＲＧＥＴ（ｉ）より高い部屋については非加湿の給気空気を供給できる。よって、例えば、子供部屋は風邪予防のために目標湿度ＨＵＭ＿ＴＡＲＧＥＴ（ｉ）を高く設定し、人がいない昼間の寝室は目標湿度ＨＵＭ＿ＴＡＲＧＥＴ（ｉ）を低く設定する等、目標湿度ＨＵＭ＿ＴＡＲＧＥＴ（ｉ）を部屋毎にユーザの好みに応じて設定することで、部屋毎に快適な湿度を保つことができる。
【０１１５】
以上、実施形態に基づき本発明を説明したが、本発明は上記実施形態に何ら限定されるものではなく、本発明の趣旨を逸脱しない範囲内で種々の改良変形が可能であることは容易に推察できるものである。例えば、各実施形態は、それぞれ、他の実施形態が有する構成の一部又は複数部分を、その実施形態に追加し或いはその実施形態の構成の一部又は複数部分と交換等することにより、その実施形態を変形して構成するようにしても良い。また、上記各実施形態で挙げた数値は一例であり、他の数値を採用することは当然可能である。
【０１１６】
上記第２及び第３実施形態では、換気対象となる全ての部屋に対して一括して目標湿度ＨＵＭ＿ＴＡＲＧＥＴを設定したが、第４実施形態に係る給排型換気装置１のように、換気対象となる部屋毎に目標湿度ＨＵＭ＿ＴＡＲＧＥＴ（ｉ）を設定できるようにしてもよい。
【０１１７】
上記第３実施形態に係る給排型換気装置１では、部屋の湿度ＨＵＭ＿ＴＡＲＧＥＴ（ｉ）を判断する閾値として、加湿制限湿度ＨＵＭ＿ＬＩＭＩＴと、下限湿度ＨＵＭ＿ＬＯＷＥＲと、上限湿度ＨＵＭ＿ＵＰＰＥＲとの３つの閾値を用いて、加湿給気風路２５の開口面積と非加湿給気風路２６の開口面積との比率を３段階に調整するよう給気ダンパを制御する場合について説明した。これに対し、部屋の湿度ＨＵＭ＿ＴＡＲＧＥＴ（ｉ）を判断する閾値を４つ以上用意し、加湿給気風路２５の開口面積と非加湿給気風路２６の開口面積との比率を４段階以上に調整するよう給気ダンパを制御してもよい。そして、部屋の湿度ＨＵＭ＿ＲＡ（ｉ）が低く、目標湿度ＨＵＭ＿ＴＡＲＧＥＴとの差が大きいほど、加湿給気風路２５の開口面積が非加湿給気風路２６の開口面積と比して大きくなるように、給気ダンパを制御するようにしてもよい。これにより、急速な加湿が必要な部屋ほど、加湿ユニット１５にて加湿された給気空気を多く回すことができるので、そのような部屋を優先的に加湿できる。
【０１１８】
上記各実施形態では、各部屋に対応して設けられた給気ダンパを１つのスライド式ダンパで構成し、給気ダンパをスライドさせることで、対応する部屋別室内側給気風路と連通する加湿給気風路２５の開口面積と非加湿給気風路２６の開口面積との比率を調整する場合について説明した。これに対し、部屋別室内側給気風路毎に、その部屋別室内側給気風路と連通する加湿給気風路２５の開口面積を変化させる加湿側ダンパと、その部屋別室内側給気風路と連通する非加湿給気風路２６の開口面積を変化させる非加湿側ダンパと設けてもよい。そして、部屋毎に、その部屋の湿度に応じて、その部屋の部屋別室内側給気風路に対応する加湿側ダンパと非加湿側ダンパとを制御することで、その部屋別室内側給気風路と連通する加湿給気風路２５の開口面積と非加湿給気風路２６の開口面積とを調整するようにしてもよい。
【０１１９】
加湿給気風路２５の開口面積を変化させる加湿側ダンパと、非加湿給気風路２６の開口面積を変化させる非加湿側ダンパとを別個に設けることで、加湿給気風路２５の開口面積と非加湿給気風路２６の開口面積との調整をきめ細かく行うことができる。
【０１２０】
なお、この場合であっても、加湿給気風路２５の開口面積と非加湿給気風路２６の開口面積との合計が一定となるように、それらの開口面積の比率が変わるように、加湿側ダンパと非加湿側ダンパとを制御するのが好ましい。これにより、部屋の湿度に応じて加湿給気風路２５の開口面積と非加湿給気風路２６の開口面積との比率を変化させても、これらの開口面積の合計が一定となるので、各部屋への給気風量を略一定に保つことができる。
【０１２１】
また、上記各実施形態では、加湿ユニット１５として水破砕式加湿ユニットを用いる場合について説明したが、必ずしもこれに限られるものではない。例えば、加湿ユニット１５として、超音波振動によって水を破砕し、加湿するものであってもよい。
【産業上の利用可能性】
【０１２２】
本発明に係る換気装置は、室内空気を屋外へ排出し、屋外空気を室内へ供給して室内の換気を行う換気装置として有効である。
【符号の説明】
【０１２３】
１    給排型換気装置
２    筐体
４    室外側吹出口
５    室外側吸込口
６    室内側吸込口
７    第１の室内側吹出口
８    第２の室内側吹出口
９    排気風路
１０    給気風路
１２    給気ファン
１３    排気ファン
１４    熱交換素子
１５    加湿ユニット
２０    制御部
２５    加湿給気風路
２６    非加湿給気風路
２７    第１の給気ダンパ
２８    第２の給気ダンパ
２９    第１の室内側給気風路
３０    第２の室内側給気風路
４０    第１の部屋
４１    第２の部屋
４２    第１の室内側湿度センサ
４３    第２の室内側湿度センサ
４４    第１の給気ダクト
４５    第２の給気ダクト
４６    第１の排気ダクト
４７    第２の排気ダクト
４８    排気ダクト
【図１】
2019174021.tif 000003
【図２】
2019174021.tif 000004
【図３】
2019174021.tif 000005
【図４】
2019174021.tif 000006
【図５】
2019174021.tif 000007
【図６】
2019174021.tif 000008
【図７】
2019174021.tif 000009